【手続補正書】
【提出日】平成17年1月21日(2005.1.21)
【手続補正１】
【補正対象書類名】特許請求の範囲
【補正対象項目名】全文
【補正方法】変更
【補正の内容】
【特許請求の範囲】
【請求項１】
シャシと共に用いる多回路インピーダンス変換器モジュールであって、
第１及び第２の両面と、
前記第１の面に取り付けられており、対よりケーブルへ接続される複数の第１のコネクタと、
前記第２の面に取り付けられており、同軸ケーブルへ接続される複数の第２のコネクタと、
対をなす前記第１のコネクタと前記第２のコネクタとを電気的に接続しており、前記第１のコネクタからの対よりワイヤ信号を前記第２のコネクタにおける同軸ケーブル信号へ変換し、前記第２のコネクタからの同軸ケーブル信号を前記第１のコネクタにおける対よりワイヤ信号に変換するバランを備えている回路と、
前記回路を取り囲んでおり、前記第１の面と前記第２の面とを接続しているハウジングと、
から成り、
前記ハウジングは、前記モジュールを前記シャシへ取り付けるために互いに反対方向に延びているフランジを備えているハウジングを備えていることを特徴とする多回路インピーダンス変換器モジュール。
【請求項２】
前記回路は、前記第１及び第２の面を横切る方向に延びている回路基板（３８）を備えていることを特徴とする請求項１に記載のモジュール。
【請求項３】
前記回路は、前記モジュールの前記第１の面上の前記第１のコネクタに隣接して取り付けられている取り外し可能な電圧減衰パッドを備えていることを特徴とする請求項１に記載のモジュール。
【請求項４】
前記回路は、前記第１及び第２の面を横切る方向に延びている回路基板（３８）を備えていることを特徴とする請求項３に記載のモジュール。
【請求項５】
前記バランは、異なるインピーダンスレベルを有する代替バランが挿入されるように前記回路に取り外し可能に取り付けられていることを特徴とする請求項１に記載のモジュール。
【請求項６】
前記第２のコネクタは一直線状に配列されていることを特徴とする請求項１に記載のモジュール。
【請求項７】
前記第１のコネクタは、それぞれ、対よりケーブルの３本のワイヤを受け入れるために、一直線状に配置された３つのポストを備えていることを特徴とする請求項１に記載のモジュール。
【請求項８】
前記モジュールは、更に、前記フランジの一つに隣接する前記第１の面上にあるケーブルクリップから成ることを特徴とする請求項７に記載のモジュール。
【請求項９】
前記第１のコネクタは、嵌合３ピンコネクタを受け入れるために、一直線状に配置されている直線配列３ピンコネクタであることを特徴とする請求項１に記載のモジュール。
【請求項１０】
前記モジュールは、更に、前記フランジの一つに隣接する前記第１の面上にあるケーブルクリップから成ることを特徴とする請求項９に記載のモジュール。
【請求項１１】
前記モジュールは、更に、前記第１の面上にあるケーブルクリップから成ることを特徴とする請求項１に記載のモジュール。
【請求項１２】
ディジタル音声インピーダンス変換器システムであって、
（ａ）複数のディジタル音声インピーダンス変換器モジュールと、
（ｂ）前記複数のモジュールを保持するシャシと、
（ｃ）留め具と、
から成り、
前記モジュールは、それぞれ、
（１）対よりケーブルへ接続される複数の前面コネクタを備えている前面と、
（２）前記前面コネクタと対をなし、同軸ケーブルに接続される複数の後面コネクタを備えている後面と、
（３）前記前面コネクタと前記後面コネクタとの各対を電気的に接続するバランを備えている回路と、
（４）前記回路を包囲し、前記前面と前記後面とを支持し、フランジを備えているハウジングと、
を備えており、
前記回路は、前記前面コネクタによって受信された対よりディジタル音声信号を、前記後面コネクタにて接続されている同軸ケーブルで伝送するために適した信号に変換し、前記後面コネクタによって受信された同軸信号を、前記前面コネクタにて接続されている対よりディジタル音声ケーブルで伝送するために適した信号に変換するように動作し、
前記留め具は、前記各モジュールの前記フランジを前記シャシに取り付けていることを特徴とするディジタル音声インピーダンス変換器システム。
【請求項１３】
前記回路は、前記前面及び前記後面を横切る方向に延びている回路基板を備えていることを特徴とする請求項１２に記載のシステム。
【請求項１４】
前記前面コネクタと前記後面コネクタとの各対を接続する前記回路は、前記前面を介してアクセス可能な取り外し可能な減衰パッドを備えていることを特徴とする請求項１２記載のシステム。
【請求項１５】
前記回路は、前記前面及び前記後面を横切る方向に延びている回路基板を備えていることを特徴とする請求項１４に記載のシステム。
【請求項１６】
前記バランは、異なるインピーダンスレベルを有する代替バランが挿入されるように、前記回路に取り外し可能に取り付けられていることを特徴とする請求項１５に記載のシステム。
【請求項１７】
前記後面コネクタは一直線状に配列されていることを特徴とする請求項１５に記載のシステム。
【請求項１８】
前記前面コネクタは、嵌合３ピンコネクタを受け入れるために、一直線状に配列されている３ピンコネクタであることを特徴とする請求項１７に記載のシステム。
【請求項１９】
前記前面コネクタは、それぞれ、対よりケーブルの３本のワイヤを受け入れるために、一直線状に配置されている３つのポストを備えていることを特徴とする請求項１７に記載のシステム。
【請求項２０】
前記前面はケーブルクリップを備えていることを特徴とする請求項１９に記載のシステム。
【請求項２１】
シャシと共に用いる多回路インピーダンス変換器モジュールであって、
第１及び第２の両面と、
前記第１の面に取り付けられており、対よりケーブルへ接続される一直線状に配置されている複数の第１のコネクタと、
前記第２の面に取り付けられており、同軸ケーブルへ接続される一直線状に配置されている複数の第２のコネクタと、
対をなす前記第１のコネクタと前記第２のコネクタとを電気的に接続しており、前記第１のコネクタからの対よりワイヤ信号を前記第２のコネクタにおける同軸ケーブル信号に変換し、前記第２のコネクタからの同軸ケーブル信号を前記第１のコネクタにおける対よりワイヤ信号に変換するバランを備えている回路と、
前記第１の面と前記第２の面の一方を介して取り付けられている複数の減衰パッドと、
前記回路を取り囲み、前記第１の面と前記第２の面とを接続するハウジングと、
から成り、
前記各減衰パッドは、前記対をなす第１のコネクタと第２のコネクタとを接続する前記回路に電気的に接続されており、前記各減衰パッドは、前記減衰パッドが接続される前記回路の前記第１又は第２のそれぞれのコネクタに隣接して取り付けられており、
前記ハウジングは、前記モジュールを前記シャシに取り付けるためのフランジを備えていることを特徴とする前記多回路インピーダンス変換器モジュール。
【請求項２２】
コネクタ取り付けシステムであって、
第１の端部及び対向する第２の端部を備えている３ピンコネクタハウジングと、
前表面と後表面とを備えている面板と、
から成り、
前記第１の端部は、一列に並んでいる３つのポスト開口を画成し、前記第２の端部は、外方に突出している一対のロック用フランジを備えており、前記ロック用フランジの一方は、前記ロック用フランジから突出しているキーフランジを備えており、前記ハウジングは、前記ロック用フランジに対向するフランジを備えており、
前記面板は、前記面板を通過して前記前表面から前記後表面に延びている少なくとも一つの開口を有しており、前記開口は、前記３ピンコネクタハウジングの前記第２の端部を受け入れるようになっており、前記開口は、前記ロック用フランジの前記キーフランジを受ける入れる大きさを有している割り出しノッチを備えており、
前記３ピンコネクタハウジングは、前記後表面へ向けて前記前表面から前記面板の前記開口内に挿入可能であり、もって、前記フランジは前記面板の前記前表面に当たって止まり、前記ロック用フランジは前記面板の前記後表面と係合し、前記キーフランジは前記割り出しノッチに挿入可能であり、もって、前記キーフランジは前記面板の前記後表面と係合することを特徴とするコネクタ取り付けシステム。
【請求項２３】
前記コネクタ取り付けシステムは、更に、外方に突出している一対の第２ロック用フランジから成り、前記第２ロック用フランジは、前記ハウジングの第２の端部から突出していることを特徴とする請求項２２に記載のコネクタ取り付けシステム。
【請求項２４】
シャシと共に用いる多回路インピーダンス変換器モジュールであって、
両面と、対よりケーブルに接続される複数の露出した第１のコネクタと、同軸ケーブルに接続される複数の露出した第２のコネクタと、複数の露出した減衰パッドと、を備えているハウジングと、
前記第１のコネクタと前記第２のコネクタとを電気的に接続しており、前記第１のコネクタからの対よりワイヤ信号を前記第２のコネクタにおける同軸ケーブル信号へ変換し、前記第２のコネクタからの同軸ケーブル信号を前記第１のコネクタにおける対よりワイヤ信号に変換するバランを備えている複数の回路と、
から成り、
前記回路は、取り外し可能な前記減衰パッドを備えており、前記ハウジングは、前記モジュールを前記シャシへ取り付けるために互いに向かい合って延びているフランジを備えていることを特徴とする多回路インピーダンス変換器モジュール。
【請求項２５】
前記回路は、前記第１及び第２の面を横切る方向に延びている回路基板を備えていることを特徴とする請求項２４に記載のモジュール。
【請求項２６】
前記バランは、異なるインピーダンスレベルを有する代替バランが挿入されるように前記回路に取り外し可能に取り付けられていることを特徴とする請求項２５に記載のモジュール。
【請求項２７】
前記第２のコネクタは一直線状に配列されていることを特徴とする請求項２４に記載のモジュール。
【請求項２８】
前記第１のコネクタは、それぞれ、対よりケーブルの３本のワイヤを受け入れるために、一直線状に配置された３つのポストを備えていることを特徴とする請求項２４に記載のモジュール。
【請求項２９】
前記モジュールは、更に、前記フランジの１つに隣接し、前記両面のうちの１の面上にあり、前記第１のコネクタからのケーブルを受け入れて保持するケーブルクリップから成ることを特徴とする請求項２８に記載のモジュール。
【請求項３０】
前記第１のコネクタは、嵌合３ピンコネクタを受け入れるために、一直線状に配置されている直線配列３ピンコネクタであることを特徴とする請求項２４に記載のモジュール。
【請求項３１】
前記モジュールは、更に、前記フランジの１つに隣接し、前記両面のうちの１の面上にあり、前記第１のコネクタからのケーブルを受け入れて保持するケーブルクリップから成ることを特徴とする請求項２４に記載のモジュール。
【請求項３２】
ディジタル音声インピーダンス変換器システムであって、
複数のディジタル音声インピーダンス変換器モジュールと、
前記複数のモジュールを保持するシャシと、
留め具と、
から成り、
前記モジュールは、それぞれ、
両面と、対よりケーブルに接続される複数の露出した第１のコネクタと、同軸ケーブルに接続される複数の露出した第２のコネクタと、複数の露出した減衰パッドと、を備えているハウジングと、
前記第１のコネクタと前記第２のコネクタとを電気的に接続しており、前記第１のコネクタからの対よりワイヤ信号を前記第２のコネクタにおける同軸ケーブル信号へ変換し、前記第２のコネクタからの同軸ケーブル信号を前記第１のコネクタにおける対よりワイヤ信号に変換するバランを備えている複数の回路と、
から成り、
前記回路は、取り外し可能な前記減衰パッドを備えており、前記ハウジングは、前記モジュールを前記シャシへ取り付けるために互いに向かい合って延びているフランジを備えており、
前記留め具は、前記各モジュールの前記各フランジを前記シャシに取り付けていることを特徴とするディジタル音声インピーダンス変換器システム。
【請求項３３】
前記回路は、前記両面間において横切る方向に延びている回路基板を備えていることを特徴とする請求項３２に記載のシステム。
【請求項３４】
前記バランは、異なるインピーダンスレベルを有する代替バランが挿入されるように、前記回路に取り外し可能に取り付けられていることを特徴とする請求項３２に記載のシステム。
【請求項３５】
前記第２のコネクタは一直線状に配列されていることを特徴とする請求項３３に記載のシステム。
【請求項３６】
前記第１のコネクタは、嵌合３ピンコネクタを受け入れるために、一直線状に配置されている３ピンコネクタであることを特徴とする請求項３５に記載のシステム。
【請求項３７】
前記第１のコネクタは、それぞれ、対よりケーブルの３本のワイヤを受け入れるために、一直線状に配置された３つのポストを備えていることを特徴とする請求項３５に記載のシステム。
【請求項３８】
ケーブルクリップは、前記フランジの１つに隣接して、前記両面のうちの１の面上に取り付けられており、前記第１のコネクタからのケーブルを受け入れて保持することを特徴とする請求項３７に記載のシステム。
【請求項３９】
シャシと共に用いる多回路インピーダンス変換器モジュールであって、
複数の外面と、対よりケーブルに接続される一直線状に配置された複数の露出した第１のコネクタと、同軸ケーブルに接続される複数の露出した第２のコネクタと、を備えているハウジングと、
前記第１のコネクタと前記第２のコネクタとを電気的に接続しており、前記第１のコネクタからの対よりワイヤ信号を前記第２のコネクタにおける同軸ケーブル信号へ変換し、前記第２のコネクタからの同軸ケーブル信号を前記第１のコネクタにおける対よりワイヤ信号に変換するバランを備えている複数の回路と、
から成り、
前記各第１のコネクタは、前記第１のコネクタの並びに平行して一直線状に配置されている３つの接点を備えており、前記第２のコネクタは、前記第１のコネクタの並びに平行して一直線状に配置されており、
前記ハウジングは、前記モジュールを前記シャシへ取り付けるために互いに向かい合って延びているフランジを備えていることを特徴とする多回路インピーダンス変換器モジュール。